(57)【要約】【課題】番組を複数のキーワードによって指定して、キーワードの優先度に基づいた検索を行い、検索結果を番組の一シーンを捉えた画像一覧として表示することが可能なテレビ放送受信装置を提供する。【解決手段】番組検索のためのキーワードと検索結果の表示順序に関わる優先度を予めユーザが登録しておき、番組表２０１もしくは番組内容２０７を起動したときに、キーワードに一致する文字列はアンダーライン表示し、さらには、設定した優先度に応じた色表示、ユーザ選択を示すハイライト表示を行う。そして、キーワードの優先度にもとづいて表示順序を決定し、番組の一シーンを捉えた画像を取得して一覧表示する。【選択図】図２
2005191621.tif 000002
【特許請求の範囲】
【請求項１】
番組情報を取得する番組情報取得手段と、複数のキーワードを優先順位を付けて登録するキーワード登録手段と、前記番組情報取得手段が取得した番組情報を記憶する際に、前記キーワード登録手段からの情報に基づいて、前記番組情報に含まれるキーワードを識別記憶する番組情報蓄積手段と、前記番組情報蓄積手段が識別記憶したキーワードが含まれる番組の画像データを蓄積する画像データ蓄積手段と、前記番組情報蓄積手段に記憶された番組情報の表示、及びキーワード検索一覧表示を行う表示手段と、ユーザが、前記表示手段が表示した番組情報から識別表示された複数のキーワードを指定した場合に、前記画像データ蓄積手段から前記複数のキーワードを含む番組の画像データを取得し、キーワード検索一覧として前記表示手段に出力する番組情報制御手段とを備えたことを特徴とするテレビ放送受信装置。
【請求項２】
前記画像データ蓄積手段は、通信回線を介して外部装置から画像データを取得することを特徴とする請求項１記載のテレビ放送受信装置。
【請求項３】
番組情報を取得するステップと、複数のキーワードを優先順位を付けて登録するステップと、前記取得された番組情報を記憶する際に、前記登録されたキーワードに基づいて、前記番組情報に含まれるキーワードを識別記憶するステップと、前記識別記憶されたキーワードが含まれる番組の画像データを蓄積するステップと、前記記憶された番組情報を表示するステップと、ユーザが前記表示された番組情報から識別表示された複数のキーワードを指定した場合に、前記複数のキーワードを含む番組の画像データを取得するステップと、前記取得した番組の画像データをキーワード検索一覧として表示するステップとを備えたことを特徴とするテレビ放送受信方法。
【発明の詳細な説明】
【技術分野】
【０００１】
本発明は、番組をキーワード検索により検索する機能を有するテレビ放送受信装置に関し、さらに詳しくは、ユーザが希望する情報をより早く、正確に、視覚的に分かりやすく提供することが可能なテレビ放送受信装置に関するものである。
【背景技術】
【０００２】
ユーザが視聴もしくは録画を希望する番組を簡単にすばやく発見する方法として、電子番組表（以下、ＥＰＧと称す）が多くのテレビ放送受信装置に搭載されており、さらにジャンルや人名等のキーワードを手がかりに番組を検索する機能も知られている。
【０００３】
しかしながら、ＥＰＧによって表示される番組情報量は膨大であり、ユーザが希望する番組を把握するには時間がかかる。また、キーワ―ドを用いた検索方法も提供されているものの、テレビ放送受信装置側が提供する特定のキーワードに限られ、番組検索結果を表示するまでに時間がかかり、また表示方法も一覧をリスト表示するなど、ユーザにとって使い勝手が悪い。
【０００４】
そこで番組内容表示に、あるキーワードが表示されていれば、その文字列の表示色を変更し、さらにそこから番組検索機能が起動するようにリンク機能を備えた、よりユーザにとって使い勝手の良い検索システムが提案されている（例えば、特許文献１参照）。
【特許文献１】特開２０００−３４１５９８号公報
【発明の開示】
【発明が解決しようとする課題】
【０００５】
しかしながら、特許文献１で示される上記従来の検索システムでは、同時に複数のキーワードを指定できないため，検索件数が多数になる可能性が高く、検索結果の表示順序をユーザが決定できないため、ユーザが視聴もしくは録画を希望する番組に辿り着くまで時間がかかるという問題があった。
【０００６】
さらに、検索結果を番組名、チャンネル、放送時間等、全て文字からなる一覧表であるため、視覚的にわかりにくく、ユーザがどの番組を見ればよいか、決め手に欠けるという問題もあった。
【０００７】
そこで、本発明は、番組をキーワードにより検索した場合の上記に挙げた、目的の番組の候補が絞れない課題、検索結果一覧表示が視覚的に分かりにくい課題を考慮し、ユーザが希望する番組情報をより早く、正確に、視覚的に分かりやすく表示することが可能なテレビ受信装置を提供することを目的とする。
【課題を解決するための手段】
【０００８】
本発明の請求項１に係るテレビ放送受信装置は、番組情報を取得する番組情報取得手段と、複数のキーワードを優先順位を付けて登録するキーワード登録手段と、番組情報取得手段が取得した番組情報を記憶する際に、キーワード登録手段からの情報に基づいて、番組情報に含まれるキーワードを識別記憶する番組情報蓄積手段と、番組情報蓄積手段が識別記憶したキーワードが含まれる番組の画像データを蓄積する画像データ蓄積手段と、番組情報蓄積手段に記憶された番組情報の表示、及びキーワード検索一覧表示を行う表示手段と、ユーザが、表示手段が表示した番組情報から識別表示された複数のキーワードを指定した場合に、画像データ蓄積手段から複数のキーワードを含む番組の画像データを取得し、キーワード検索一覧として表示手段に出力する番組情報制御手段とを備えたことを特徴とする。
【０００９】
また、本発明の請求項２に係るテレビ放送受信装置は、請求項１の構成において、画像データ蓄積手段は、通信回線を介して外部装置から画像データを取得することを特徴とする。
【００１０】
また、本発明の請求項３に係るテレビ放送受信方法は、番組情報を取得するステップと、複数のキーワードを優先順位を付けて登録するステップと、取得された番組情報を記憶する際に、登録されたキーワードに基づいて、番組情報に含まれるキーワードを識別記憶するステップと、識別記憶されたキーワードが含まれる番組の画像データを蓄積するステップと、記憶された番組情報を表示するステップと、ユーザが表示された番組情報から識別表示された複数のキーワードを指定した場合に、複数のキーワードを含む番組の画像データを取得するステップと、取得した番組の画像データをキーワード検索一覧として表示するステップとを備えたことを特徴とする。
【発明の効果】
【００１１】
本発明のテレビ放送受信装置によれば、キーワードを複数指定し、各キーワードに優先度をつけることで候補番組を少数に絞ることができ、検索した番組を優先度順に表示することができるので、目的の番組を素早く発見することができる。さらに、検索した番組に対し、番組の一シーンを捉えた画像を一覧表示することで、ユーザに対して番組に関する情報を視覚的に分かりやすく伝えることができる。そのため視聴もしくは録画したい番組を決定しやすくなるという効果を得ることができる。
【発明を実施するための最良の形態】
【００１２】
以下に、本発明の実施の形態について図面を参照して説明する。
【００１３】
（実施の形態１）
図１は、本発明の実施の形態１によるテレビ放送受信装置の構成を示すブロック図である。テレビ放送受信装置１は、放送局からの電波を受信するためのアンテナ２と、テレビ放送の映像、ＥＰＧを含むＯＳＤを映し出すための表示装置１５に接続される。
【００１４】
テレビ放送受信装置１は、チューナ３と、番組情報分離部４と、番組情報蓄積部５と、キーワード登録部６と、番組リスト作成部７と、リモコン受信部９と、画像データ蓄積部１１と、番組情報表示部１２と、映像信号処理部１３と、画面合成部１４と、番組情報制御部１６から構成されており、番組に関連する画像を収めた番組画像データベース１０に対してインターネットで接続できる機能を有する。
【００１５】
番組情報分離部４は、映像信号と番組情報を分離する。番組情報はアナログ放送の場合はＶＢＩ（Ｖｅｒｔｉｃａｌ  Ｂｌａｎｋｉｎｇ  Ｉｎｔｅｒｖａｌ）に、デジタル放送の場合はＳＩ（Ｓｅｒｖｉｃｅ  Ｉｎｆｏｒｍａｔｉｏｎ）に含まれており、番組情報として分離された後、表示装置１５に表示できる形にデコードされる。
【００１６】
番組情報蓄積部５は、番組情報分離部４によりデコードされた番組情報を記憶する。記憶方式は、ユーザが登録したキーワードに一致する文字列が存在すれば、文字列にアンダーラインを付け、キーワードに設定した優先度に応じた表示色にして表示形式を変更し、さらに文字列を選択したことを示すハイライト表示に対応させ、ユーザの指令により、検索結果を収める番組リスト作成部７にアクセスするようにデータを変更したものが記憶される。
【００１７】
キーワード登録部６は、ユーザが番組を検索するために入力したキーとなる文字列を記憶する。複数のキーワードを登録可能であり、各キーワードには優先度を設定することができる。ここで、例えば、優先度は値の小さいものほど優先度が高いものとする。
【００１８】
番組リスト作成部７は、番組情報蓄積部５にユーザが登録したキーワードをもつ番組が存在すれば、キーワード毎に番組リストを作成する。またキーワードの優先度もリストに記憶する。
【００１９】
リモコン８は、ユーザが選局、ＥＰＧ操作、キーワード検索等の指令を送るためのものである。リモコン８のボタンを押下することにより、赤外線信号等の無線信号を送出する。
【００２０】
リモコン受信部９は、リモコン８から送出されるリモコンコードを受信し、番組情報制御部１６へ出力する。
【００２１】
画像データ蓄積部１１は、番組情報蓄積部５にある番組データの中でユーザが設定したキーワードが含まれる番組の画像データを番組画像データベース１０からダウンロードして蓄積する。
【００２２】
番組情報表示部１２は、時間、放送局を軸とするＥＰＧを表示、各番組の詳細情報の表示、検索結果の表示、その他選局している番組のＣＨ番号等のＯＳＤ表示を行う。どの表示を行うかは、番組情報制御部１６によって制御される。
【００２３】
映像信号処理部１３は、番組情報分離部４により分離された映像信号をデコードして表示装置に表示するための処理を行う。
【００２４】
画面合成部１４は、映像信号処理部１３によって表示装置１５に映し出される映像と番組情報表示部１２で処理されたＯＳＤとを合成して表示する。
【００２５】
番組情報制御部１６は、ユーザの操作により送信されたリモコンコードを入力とし、キーワード及び各キーワードの優先度登録時のキーワード登録部５の起動、もしくはキーワード、及び各キーワードの優先度の取得、またＥＰＧ、番組内容表示等で番組データ蓄積部５へのデータアクセス、番組情報受信時のデータ蓄積指令、番組情報受信時及びキーワード登録後の番組リスト作成部７の起動、番組画像データベース１０へのアクセス、番組情報表示部１２への表示指令を制御する。
【００２６】
図２はテレビ放送受信装置１における、番組表および番組内容表示、番組内容表示からキーワード検索した時の検索結果表示図を示す。これらの表示は番組情報制御部１６によって制御され番組情報表示部１２により表示を構成する。
【００２７】
図２（ａ）の２０１は、時間および放送局名を軸とする番組表を示しており、カーソル２０２によって“ロードショー「ＡＡＡのＢＢＢ」”が選択されている状態である。またユーザはキーワードとして少なくとも“ロードショー２０３、ＢＢＢ２０４、サッカー２０５、ＮＥＷＳ２０６”を登録していることが文字列にアンダーラインを付けて表示されていることでわかる。また“ロードショー２０３”は選択されていることを表す意味でハイライト表示されており、この表示はキーワード間で移動できる。ただし、選択されている番組内だけで移動可能であり、図２（ａ）の状態では、“ロードショー２０３”と“ＢＢＢ２０４”を選択対象とする。
【００２８】
図２（ｂ）の２０７は、図２（ａ）でカーソル２０２によって選択された“ロードショー「ＡＡＡのＢＢＢ」”の番組内容を表示したものであり、この画面でもキーワード検索が可能である。さらに“ロードショー２０８”、“ＦＦＦ２０９”に示すように複数のキーワードを選択して検索することが可能である。検索はＡＮＤ検索、ＯＲ検索を指定することができる。検索結果を表示する前に、優先度を用いて表示順序を決定しておく。
【００２９】
図２（ｃ）の２１０は、図２（ｂ）で選択したキーワード２１１の検索結果を示している。２１２はヒットした番組の画像を表示しており、この画像は画像データ蓄積部１１から取得したものである。番組画像一覧をカーソル移動により選択することができ、画像の拡大表示、番組内容表示（文字）を行う。
【００３０】
番組情報表示部１２にキーワードによる検索結果一覧を表示するまでの番組情報制御部１６による処理フローを図３を用いて説明する。
【００３１】
ユーザによって番組表、もしくは番組内容が起動された場合、キーワードに一致する文字列に対して上述のとおり、既に処理されたデータを番組情報蓄積部５から読み出し表示する（Ｓ３０１）。ユーザによりキーワードが選択された場合（Ｓ３０２でＹＥＳ）、番組リスト作成部７から各キーワードに対応するリストを選択する（Ｓ３０３）。そして、各キーワード間の検索条件（ＡＮＤ、ＯＲ）をもとに、検索結果リストを作成する（Ｓ３０４）。
【００３２】
上記処理後、キーワードに設定された優先度にもとづき、検索結果リストの表示順序の並べ換えを行う（Ｓ３０５）。そして、検索結果リストに登録されている番組に対応する番組画像を画像データ蓄積部から取得し（Ｓ３０６）、一覧表示する（Ｓ３０７）。
【００３３】
以上のように、本発明のテレビ放送受信装置１によれば、“ロードショー２０８”、“ＦＦＦ２０９”に示すように、キーワードを複数指定し、各キーワードに優先度をつけることで、候補番組を少数に絞ることができ、検索した番組を優先度順に表示することができるので、目的の番組を素早く発見することができる。さらに、検索した番組に対し、番組の一シーンを捉えた画像を一覧表示することで、ユーザに対して番組に関する情報を視覚的に分かりやすく伝えることができる。そのため視聴もしくは録画したい番組を決定しやすくなる。
【産業上の利用可能性】
【００３４】
本発明の番組検索機能を有するテレビ放送受信装置は、キーワードを複数指定し、各キーワードに優先度をつけることで、候補番組を少数に絞ることができ、また、検索した番組を優先度順に表示することができるので、目的の番組を素早く発見することができ、さらには、検索した番組に対し、番組の一シーンを捉えた画像を一覧表示することでユーザに対して番組に関する情報を視覚的に分かりやすく伝えることができるため、番組をキーワード検索により検索する機能を有するテレビ放送受信装置に有用である。
【図面の簡単な説明】
【００３５】
【図１】本発明の実施の形態１によるテレビ放送受信装置の構成を示すブロック図
【図２】同実施の形態において、テレビ放送受信装置によって表示した、（ａ）番組表を示す図（ｂ）番組内容を示す図、（ｃ）番組内容表示からキーワード検索したときの検索結果表示図
【図３】番組情報表示部にキーワードによる検索結果一覧を表示するまでの番組情報制御部による処理フローを示す図
【符号の説明】
【００３６】
１    テレビ放送受信装置
２    アンテナ
３    チューナ
４    番組情報分離部
５    番組情報蓄積部
６    キーワード登録部
７    番組リスト作成部
８    リモコン
９    リモコン受信部
１０    番組画像データベース
１１    画像データ蓄積部
１２    番組情報表示部
１３    映像信号処理部
１４    画面合成部
１５    表示装置
【図１】
2005191621.tif 000003
【図２】
2005191621.tif 000004
【図３】
2005191621.tif 000005